(57)【要約】【課題】同一構造を用いてカセット部品の仕様変更に対処することができるとともにカセット構造部品の挿着方向の自由度を高めることができる電気接続箱を提供する。【解決手段】カセット構造部品８１を挿着可能な電気接続箱１０の部品挿着部１６は、カセット構造部品８１を挿着する方向Ａ１に貫通して形成された孔であり、部品挿着部１６の内壁１８には、孔の一端側からの挿着である第１の挿着方向Ａ１から挿入された第１のカセット構造部品８１を係止する第１の係止部材２２と、孔の他端側からの挿着である第２の挿着方向から挿入されたカセット構造部品を係止する第２の係止部材２２とが設けられている。そして、部品挿着部１６には、第１の挿着方向Ａ１又は第２の挿着方向のいずれかを選択してカセット構造部品８１が挿着される。【選択図】図１
2010029011.tif 000002
【特許請求の範囲】
【請求項１】
第１のカセット構造部品及び第２のカセット構造部品のうちいずれか一方を挿着可能な部品挿着部が形成された電気接続箱本体を有する電気接続箱であって、
前記部品挿着部には、その内壁により画成され且つ前記電気接続箱本体を貫通する貫通孔が形成され、
前記貫通孔には、その両端の開口のうち一端側の開口から前記第１のカセット構造部品を、そして前記両端の開口のうち他端側の開口から前記第２のカセット構造部品を挿入可能であり、
前記部品挿着部の内壁には、前記一端側の開口から前記貫通孔に挿入された前記第１のカセット構造部品を係止する第１の係止部と、前記他端側の開口から前記貫通孔に挿入された前記第２のカセット構造部品を係止する第２の係止部とが設けられていることを特徴とする電気接続箱。
【請求項２】
前記第１の係止部と前記第２の係止部とは、前記部品挿着部の内壁上で統合化係止部として一体に形成され、当該統合化係止部の相反する側に形成されていることを特徴とする請求項１に記載の電気接続箱。
【請求項３】
前記第１の係止部と前記第２の係止部とは、前記部品挿着部の内壁上で離れて形成され、前記第１のカセット構造部品の前記貫通孔への挿入方向ならびに前記第２のカセット構造部品の前記貫通孔への挿入方向と平行な同一直線上にないことを特徴とする請求項１に記載の電気接続箱。
【請求項４】
前記部品挿着部に挿着された前記第１のカセット構造部品及び前記第２のカセット構造部品のうちいずれか一方が、前記貫通孔への挿入方向前方へ抜け出ることを防止するストッパが前記部品挿着部の内壁上に設けられていることを特徴とする請求項１〜３のいずれかに記載の電気接続箱。
【請求項５】
前記第２の係止部材が前記第１のカセット構造部品用の前記ストッパを有し、前記第１の係止部材が前記第２のカセット構造部品用の前記ストッパを有することを特徴とする請求項４に記載の電気接続箱。
【発明の詳細な説明】
【技術分野】
【０００１】
本発明は、例えば自動車等の車両に用いられる例えばリレー・ボックス、ヒューズ・ボックス、電子制御ユニット・ボックス、等の電気接続箱に関し、特に、カセット式の電気部品ユニット等のカセット構造部品を挿着する電気接続箱に関する。
【背景技術】
【０００２】
図１８に示すように、車両に搭載される電気接続箱２００には、種々のブロック２０３やボックス２０２等のカセット構造部品を挿着することが多い（例えば特許文献１参照）。この種の電気接続箱の場合、通常、カセット構造部品によって、挿着方向が決まっている。例えば、メンテナンスを必要とするリレーブロック等は、メンテナンス時に着脱し易いように、電気接続箱に上から挿着するようになっている。また、電線が接続されたコネクタユニット等は、コネクタ嵌合面が上を向くようにして相手部品（リレー等）を取り付け易くする必要があり、また電線が接続されていない側からのほうが挿着し易いので、電気接続箱に下側から挿着するようになっている。
【０００３】
そして、電気接続箱は、カセット構造部品を上から挿着するタイプのものと、下から挿着するタイプのものとがそれぞれ別に用意されており、使用するカセット構造部品に応じていずれかを選択して用いられている。この場合、カセット構造部品を上から挿着するタイプの電気接続箱と、カセット構造部品を下から挿着するタイプの電気接続箱とでは、図１９に示すように、カセット構造部品を固定する構造も異なっている。
【０００４】
すなわち、図１９（Ａ）に示すように、上から挿入する部品２１０の場合、部品２１０には可撓片であるランス２１２が上向きに設けられるとともに電気接続箱２１４にはランス２１２の上方への移動を防止する係止部２１６が設けられる。また、図１９（Ｂ）に示すように、下から挿入する部品２２０の場合、部品２２０にはランス２２２が下向きに設けられるとともに電気接続箱２２４にはランス２２２の下方への移動を防止する係止部２２６が設けられる。このように、上から挿着する部品専用の電気接続箱と、下から挿着する部品専用の電気接続箱とが別個に用意されていた。
【０００５】
【特許文献１】特開平１０−２０１０４７号公報
【発明の開示】
【発明が解決しようとする課題】
【０００６】
ところが、カセット構造部品に複数の仕様がある場合、上から挿着される部品、下から挿着される部品両方の仕様を満足するためには、複数の電気接続箱を用意する必要があり、更に、電気接続箱には、上から挿着する部品用と下から挿着する部品用それぞれの挿着部を設ける必要があり、電気接続箱が大型化するという問題がある。また、それまで上から挿着していたカセット構造部品が下から挿着するように変更された場合は、電気接続箱におけるカセット構造部品の固定構造も変えなければならず、その都度、新しい電気接続箱を作る必要があり、コストアップの原因になっていた。
また、仕様が変更されるたびに電気接続箱を作るので、電気接続箱の種類が増え、電気接続箱を管理するのが大変であった。
【０００７】
更に、電気接続箱は、車両の例えばエンジンルーム内等のスペース配分により、カセット構造部品の挿着方向を横方向にして搭載される場合もあるために、各カセット構造部品の挿着方向の自由度を高めることが望まれている。
【０００８】
本発明の目的は、上記課題を解消することに係り、挿着方向の異なる複数種の部品に対応できるとともに小型に構成することができ、簡単な構成でカセット構造部品の挿着方向の自由度を高めることができ、低コストで管理が容易な電気接続箱を提供することにある。
【課題を解決するための手段】
【０００９】
本発明の上記目的は、下記構成により達成される。
（１）  第１のカセット構造部品及び第２のカセット構造部品のうちいずれか一方を挿着可能な部品挿着部が形成された電気接続箱本体を有する電気接続箱であって、
前記部品挿着部には、その内壁により画成され且つ前記電気接続箱本体を貫通する貫通孔が形成され、
前記貫通孔には、その両端の開口のうち一端側の開口から前記第１のカセット構造部品を、そして前記両端の開口のうち他端側の開口から前記第２のカセット構造部品を挿入可能であり、
前記部品挿着部の内壁には、前記一端側の開口から前記貫通孔に挿入された前記第１のカセット構造部品を係止する第１の係止部と、前記他端側の開口から前記貫通孔に挿入された前記第２のカセット構造部品を係止する第２の係止部とが設けられていることを特徴とする電気接続箱。
【００１０】
（２）  前記第１の係止部と前記第２の係止部とは、前記部品挿着部の内壁上で統合化係止部として一体に形成され、当該統合化係止部の相反する側に形成されていることを特徴とする前記（１）に記載の電気接続箱。
【００１１】
（３）  前記第１の係止部と前記第２の係止部とは、前記部品挿着部の内壁上で離れて形成され、前記第１のカセット構造部品の前記貫通孔への挿入方向ならびに前記第２のカセット構造部品の前記貫通孔への挿入方向と平行な同一直線上にないことを特徴とする前記（１）に記載の電気接続箱。
【００１２】
（４）  前記部品挿着部に挿着された前記第１のカセット構造部品及び前記第２のカセット構造部品のうちいずれか一方が、前記貫通孔への挿入方向前方へ抜け出ることを防止するストッパが前記部品挿着部の内壁上に設けられていることを特徴とする前記（１）〜（３）のいずれかに記載の電気接続箱。
【００１３】
（５）  前記第２の係止部材が前記第１のカセット構造部品用の前記ストッパを有し、前記第１の係止部材が前記第２のカセット構造部品用の前記ストッパを有することを特徴とする前記（４）に記載の電気接続箱。
【００１４】
上記（１）の構成の電気接続箱によれば、部品挿着部には電気接続箱本体を貫通した貫通孔が形成され、貫通孔には相反する方向からカセット構造部品を挿着することができる。そして、部品挿着部には、各方向から挿着されたカセット構造部品を係止する係止部材が設けられているので、カセット構造部品は、電気接続箱から抜け出ることがない。これにより、カセット構造部品を作業効率のよい方向から電気接続箱に挿着することができる。また、カセット構造部品の複数の仕様に対しても、同一の構造の電気接続箱を用いて対処することができるので電気接続箱を小型化でき、部品管理の負担およびコスト面の低減を図ることができる。そして、カセット構造部品の挿着方向の自由度を高めることができる。
【００１５】
上記（２）の構成の電気接続箱によれば、前記第１の係止部材と前記第２の係止部材とは、統合化係止部として一体に形成され、当該統合化係止部の相反する側に形成されているので、電気接続箱の構成を簡単にすることができる。
【００１６】
上記（３）の構成の電気接続箱によれば、前記第１の係止部材と前記第２の係止部材とは、前記部品挿着部の内壁上で離れて形成され、前記第１のカセット構造部品の前記貫通孔への挿入方向ならびに前記第２のカセット構造部品の前記貫通孔への挿入方向と平行な同一直線上にないので、各係止部材を各挿着方向に対応した係止部材として機能させることができる。
【００１７】
上記（４）の構成の電気接続箱によれば、前記部品挿着部に挿着された前記第１のカセット構造部品及び前記第２のカセット構造部品のうちいずれか一方が、前記貫通孔への挿入方向前方へ抜け出ることを防止するストッパが前記部品挿着部の内壁上に設けられているので、カセット構造部品が挿着方向へ抜け出ることがなく、部品挿着部に確実に固定される。
【００１８】
上記（５）の構成の電気接続箱によれば、前記第２の係止部材が前記第１のカセット構造部品用の前記ストッパを有し、前記第１の係止部材が前記第２のカセット構造部品用の前記ストッパを有する。つまり、カセット構造部品の第１の方向からの挿入により第１の係止突起がカセット構造部品を係止するとともに、第２の係止突起がストッパとしてカセット構造部品に当接する。また、カセット構造部品の第２の方向からの挿入により第２の係止突起がカセット構造部品を係止するとともに第１の係止突起がストッパとしてカセット構造部品に当接する。これにより、同一構造の電気接続箱を用いて、同一の固定構造を有する異なるカセット構造部品の挿着方向の自由度を高めることができるとともに、挿着状態を確実に保持することができる。
【発明の効果】
【００１９】
本発明によれば、接続箱本体にカセット構造部品を挿着可能なカセット構造部品挿着部を有する電気接続箱において、同一構造で異なるカセット構造部品を相反する方向から挿着することができ、電気接続箱を小型化でき、挿着方向の異なる複数の部品に対応することができる。また、簡単な構成でカセット構造部品の挿着方向の自由度を高めることができる。また、異なる種類のカセット構造部品に対して電気接続箱を共通して用いることができるので、電気接続箱の種類が増えず、その結果、コストが増えず、管理も容易である。
【発明を実施するための最良の形態】
【００２０】
以下、本発明に係る複数の好適な実施形態について図を参照しながら詳細に説明する。
【００２１】
（第１実施形態）
図１〜図１２は本発明に係る電気接続箱の第１実施形態を示すもので、図１は本発明に係る電気接続箱の第１実施形態の第１のカセット構造部品を挿着する際の斜め上方から視た斜視図、図２は図１の電気接続箱のカセット構造部品挿着部の一部破断斜視図、図３（Ａ）は図２のカセット構造部品挿着部の上方から視た平面図、図３（Ｂ）は図２のカセット構造部品挿着部の下方から視た平面図、図４は図１の電気接続箱に対する第１のカセット構造部品の挿着前の上方から視た斜視図、図５（Ａ）は図１の第１のカセット構造部品の電気接続箱への挿着時の第１のカセット構造部品周りの断面図、図５（Ｂ）は図１の第１のカセット構造部品の電気接続箱への挿着後の第１のカセット構造部品周りの断面図、図６は図１の電気接続箱への第１のカセット構造部品の挿着後の平面図、図７は図６の底面図である。
【００２２】
また、図８は図１の電気接続箱への第２のカセット構造部品を挿着する際の斜め下方から視た斜視図、図９は図１の電気接続箱への第２のカセット構造部品の挿着前の上方から視た斜視図、図１０（Ａ）は図８の第２のカセット構造部品の電気接続箱への挿着時の断面図、図１０（Ｂ）は図８の第２のカセット構造部品の電気接続箱への挿着後の第２のカセット構造部品周りの断面図、図１１は図１の電気接続箱への第２のカセット構造部品の挿着後の第２のカセット構造部品周りの平面図、図１２は図１１の底面図である。
【００２３】
本発明の第１実施形態である電気接続箱１０は、４個の側板１２，１３，１４，１５を有してこれら側板１２，１３，１４，１５の内側の一部にカセット構造部品挿着部１６が形成されているとともに側板１２，１３，１４，１５の内側の他の部分に複数の電気部品挿着部１７が形成された接続箱本体１１を備え、カセット構造部品挿着部１６の第１の方向Ａ１に沿って第１のカセット構造部品８１を挿着し、カセット構造部品挿着部１６の第２の方向Ａ２に沿って第２のカセット構造部品８２を挿着する。なお、以下の説明では、図１〜図７を用いて第１のカセット構造部品８１を挿着する場合について説明し、図８〜図１２を用いて第２のカセット構造部品８２を挿着する場合について説明する。
【００２４】
図１に示すように、カセット構造部品挿着部１６は、図１中の上下に貫通して形成されており、４個の内側板１８，１９，２０，２１によって囲まれている。カセット構造部品挿着部１６は、上側の間口と下側の間口とが同じ形状に形成されている。
【００２５】
そして、カセット構造部品挿着部１６の対向する内側板１８，２０に、統合化係止部としての係止突起２２と、一対のガイド部２３，２３とがそれぞれ形成されている。
【００２６】
第１のカセット構造部品８１は、リレーユニットであり、リレーケース８３内に不図示の複数のリレーを内蔵している。そして、カセット構造部品挿着部１６の対向する内側板１８，２０に対応するリレーケース８３の外側板８４，８４に、可撓係止片８５と、一対のガイド部受８６，８６とを有する。
【００２７】
可撓係止片８５は、第１の方向Ａ１に沿った挿入指向性を有する可撓変形部材である。ガイド部受８６，８６は、可撓係止片８５の両側に予め定められた距離だけそれぞれ離れた位置においてカセット構造部品挿着部１６の孔方向に平行に配置されており、先端部をそれぞれ対向するように屈曲させた断面視Ｌ字形状に形成されている。
【００２８】
図２、図３（Ａ），（Ｂ）に示すように、係止突起２２は、断面視多角形状に形成されており、内側板１８（２０）から孔の内方に向けて突出している。そして、係止突起２２は、カセット構造部品挿着部１６の図２中の上方側に下方から挿入される後述するカセット構造部品８２用の第１の係止部２４を有し、カセット構造部品挿着部１６の図２中の下方側に上方から挿入されるカセット構造部品８１用の第２の係止部２５を有する。
【００２９】
ガイド部２３，２３は、係止突起２２の両側に予め定められた距離だけそれぞれ離れた位置においてカセット構造部品挿着部１６の孔方向に平行に配置されている。ガイド部２３，２３は、断面視Ｔ字形状の板部材であって、Ｔ字の中心のＩ字部分のそれぞれ内側に内側ガイド溝２６，２６を有するとともに、それぞれ外側に外側ガイド溝２７、２７を有する。
【００３０】
そして、内側ガイド溝２６，２６の上端部に、内側ガイド溝２６，２６を閉塞した第１のストッパ２８，２８がそれぞれ形成されており、外側ガイド溝２７，２７の下端部に、外側ガイド溝２７，２７を閉塞した第２のストッパ２９、２９がそれぞれ形成されている。
【００３１】
つまり、外側ガイド溝２７，２７は、カセット構造部品挿着部１６の図２中上側を開放され、図２中の下側を第２のストッパ２９，２９により閉塞されている。そして、内側ガイド溝２６，２６は、カセット構造部品挿着部１６の図２中下側を開放され、図２中の上側を第１のストッパ２８，２８により閉塞されている。
【００３２】
次に、図４〜図７を参照して、カセット構造部品挿着部１６への第１のカセット構造部品８１の挿着手順について説明する。
【００３３】
図４に示すように、まず、第１のカセット構造部品８１をカセット構造部品挿着部１６の上方に配置し、第１のカセット構造部８１のガイド部受８６，８６をカセット構造部品挿着部１６のガイド部２３，２３に一致させるように、第１のカセット構造部品８１を第１の方向Ａ１に沿ってカセット構造部品挿着部１６に向けて進行させる。
【００３４】
図５（Ａ）に示すように、第１の方向Ａ１に沿ってカセット構造部品挿着部１６に向けて進行する第１のカセット構造部品８１は、ガイド部受８６，８６をガイド部２３，２３の外側ガイド溝２７，２７にそれぞれ挿入していき、可撓係止片８５を係止突起２２に当接させる。このとき、ガイド部２３，２３の外側ガイド溝２７，２７にガイド部受８６，８６がそれぞれ挿入されるために、第１のカセット構造部品８１は、外側ガイド溝２７，２７によって支持されることで、挿入中に傾きを生ずることなく姿勢が保たれる。
【００３５】
図５（Ｂ）に示すように、カセット構造部品挿着部１６に挿入されていく第１のカセット構造部品８１は、可撓係止片８５を可撓させて係止突起２２を乗り越えて進行を続け、その後に、可撓係止片８５を係止突起２２の第２の係止部２５に係止される。
【００３６】
同時に、ガイド部受８６，８６をガイド部２３，２３の外側ガイド溝２７，２７にそれぞれ挿入してきた第１のカセット構造部品８１は、ガイド部受８６，８６を第２のストッパ２９，２９に当接される。ここで、可撓係止片８５が係止突起２２を乗り越えたときに、ガイド部受８６，８６と第２のストッパ２９，２９との間にわずかな遊びがあってもよい。
【００３７】
図６、図７に示すように、第１の方向Ａ１に沿ってカセット構造部品挿着部１６に進行してきた第１のカセット構造部品８１は、可撓係止片８５を係止突起２２の第２の係止部２５に係止され、且つガイド部受８６，８６を第２のストッパ２９，２９にそれぞれ当接されることで、抜け止めされて挿着が完了する。
【００３８】
第１のカセット構造部品８１は、カセット構造部品挿着部１６において、不図示のコネクタを介して内部回路を電気接続箱１０内の回路に電気的に接続する。
【００３９】
図８に示すように、第２のカセット構造部品８２は、それぞれ不図示のフューズ、端子を内蔵したコネクタ、単体のリレー等を電気的に接続するためのカセットユニットであり、カセットケース８７内に複数の端子を収容しており、複数の端子にそれぞれ電気的に接続された電線８８が下方に延びている。そして、カセット構造部品挿着部１６の対向する内側板１８，２０に対応するカセットケース８７の外側板８９，８９に、可撓係止片９０と、一対のガイド部受９１，９１とを有する。
【００４０】
可撓係止片９０は、第２の方向Ａ２に沿った挿入指向性を有する弾性部材である。ガイド部受９１，９１は、可撓係止片９０の両側に予め定められた距離だけそれぞれ離れた位置においてカセット構造部品挿着部１６の孔方向に平行に配置されており、先端部をそれぞれ外側に屈曲させた断面視Ｌ字形状に形成されている。
【００４１】
次に、図９〜図１２を参照して、カセット構造部品挿着部１６への第２のカセット構造部品８２の挿着手順について説明する。
【００４２】
図９に示すように、まず、第２のカセット構造部品８２をカセット構造部品挿着部１６の下方に配置し、第２のカセット構造部品８２のガイド部受９１，９１をカセット構造部品挿着部１６のガイド部２３，２３に一致させるように、第２のカセット構造部品８２を第２の方向Ａ２に沿ってカセット構造部品挿着部１６に向けて進行させる。
【００４３】
図１０（Ａ）に示すように、第２の方向Ａ２に沿ってカセット構造部品挿着部１６に向けて進行する第２のカセット構造部品８２は、ガイド部受９１，９１をガイド部２３，２３の内側ガイド溝２６，２６にそれぞれ挿入していき、可撓係止片９０を係止突起２２に当接させる。このとき、ガイド部２３，２３の内側ガイド溝２６，２６にガイド部受８６，８６がそれぞれ挿入されるために、第２のカセット構造部品８２は、内側ガイド溝２６，２６によって支持されることで、挿入中に傾きを生ずることなく姿勢が保たれる。
【００４４】
図１０（Ｂ）に示すように、カセット構造部品挿着部１６に挿入されていく第２のカセット構造部品８２は、可撓係止片９０を可撓させて係止突起２２を乗り越えて進行を続け、その後に、可撓係止片９０を係止突起２２の第１の係止部２４に係止される。
【００４５】
同時に、ガイド部受９１，９１をガイド部２３，２３の内側ガイド溝２６，２６にそれぞれ挿入してきた第２のカセット構造部品８２は、ガイド部受９１，９１を第１のストッパ２８，２８に当接される。ここで、可撓係止片９０が係止突起２２を乗り越えたときに、ガイド部受９１，９１と第１のストッパ２８，２８との間にわずかな遊びがあってもよい。
【００４６】
図１１、図１２に示すように、第２の方向Ａ２からカセット構造部品挿着部１６に進行してきた第２のカセット構造部品８２は、可撓係止片９０を係止突起２２の第１の係止部２４に係止し、且つガイド部受９１，９１を第１のストッパ２８，２８にそれぞれ当接することで、抜け止めされて挿着が完了する。
【００４７】
第２のカセット構造部品８２は、電線８８を電気接続箱１０内の回路に電気的に接続するとともに、第１の方向Ａ１に沿って不図示のオートヒューズや端子を内蔵したコネクタや単体のリレー等を電気的に接続される。
【００４８】
以上、説明したように、第１実施形態の電気接続箱１０によれば、カセット構造部品挿着部１６の係止突起２２は、第１の方向Ａ１に沿って挿入される第１のカセット構造部品８１および第２の方向Ａ２に沿って挿入される第２のカセット構造部品８２の可撓係止片８５，９０のいずれも係止することで、両方向に沿った挿入に兼用される。これにより、同一の構造の電気接続箱１０を用いてカセット構造部品の仕様変更に対処することができ、電気接続箱１０を小型化でき、部品管理の負担およびコストの低減を図ることができる。そして、第１のカセット構造部品８１および第２のカセット構造部品８２の挿着方向の自由度を高めることができる。
【００４９】
また、第１実施形態の電気接続箱１０によれば、第１のカセット構造部品８１または第２のカセット構造部品８２の第１の方向Ａ１および第２の方向Ａ２からの挿入により、ガイド部２３，２３がガイド部受８６，８６，９１，９１をそれぞれ支持するために、両カセット構造部品８１，８２に倒れ等を生ずることがなくなって確実な挿着を行うことができる。また、第１のカセット構造部品８１の第１の方向Ａ１に沿った挿着に伴い、可撓係止片８５が第２の係止部２５に係止されたときに、第２のストッパ２９，２９がガイド部受８６，８６に当接することで、係止状態にある可撓係止片８５に外れを生じないように保持して確実な係止状態を作りだすことができる。同様に、第２のカセット構造部品８２の第２の方向Ａ２に沿った挿着に伴い、可撓係止片９０が第１の係止部２４に係止されたときに、第１のストッパ２８，２８がガイド部受８６，８６に当接することで、係止状態にある可撓係止片９０に外れを生じないように保持して確実な係止状態を作りだすことができる。
【００５０】
（第２実施形態）
次に、図１３〜図１７を参照して、本発明に係る電気接続箱の第２実施形態について説明する。図１３〜図１７は本発明に係る電気接続箱の第２実施形態を示すもので、図１３は本発明に係る電気接続箱の第２実施形態の第１のカセット構造部品を挿着する際の斜め上方から視た斜視図、図１４は図１３の電気接続箱のカセット構造部品挿着部の一部破断斜視図、図１５は図１３のカセット構造部品挿着部への第１のカセット構造部品の挿着後のカセット構造部品挿着部の要部断面を含む斜視図、図１６は本発明に係る電気接続箱の第２実施形態の第２のカセット構造部品を挿着する際の斜め下方から視た斜視図、図１７は図１３のカセット構造部品挿着部への第２のカセット構造部品の挿着後のカセット構造部品挿着部の要部断面を含む斜視図である。
【００５１】
なお、以下の第２実施形態において、上述した第１実施形態と重複する構成要素や機能的に同様な構成要素については、図中に同一符号あるいは相当符号を付することによって説明を簡略化あるいは省略する。
【００５２】
本発明の第２実施形態である電気接続箱５０は、カセット構造部品挿着部１６の第１の方向Ａ１に沿って第３のカセット構造部品９２を挿着し、カセット構造部品挿着部１６の第２の方向Ａ２に沿って第４のカセット構造部品９３を挿着する。なお、以下の説明では、図１３〜図１５を用いて第３のカセット構造部品９２を挿着する場合について説明し、図１６および図１７を用いて第４のカセット構造部品９３を挿着する場合について説明する。
【００５３】
図１３、図１４に示すように、本発明の第２実施形態である電気接続箱５０は、カセット構造部品挿着部１６の対向する内側板１８，２０に、カセット構造部品挿着部１６の孔方向に対して互い違いの位置に第１の係止突起５１および第２の係止突起５２を設けられている。すなわち、係止突起５２は第１及び第２の方向Ａ１，Ａ２に平行な同一直線上に位置していない。
【００５４】
第１の係止突起５１は、カセット構造部品挿着部１６の側壁１８において上部開口部寄りに配置されており、上側に傾斜面５３を有する。
【００５５】
第２の係止突起５２は、カセット構造部品挿着部１６の側壁１８において、第１の係止突起５２から予め定められた距離だけ横方向に離れた側部であって、且つ第１の係止突起５１よりも下部開口部寄りに配置されており、下側に傾斜面５４を有する。
【００５６】
第３のカセット構造部品９２は、上述した第１のカセット構造部品８１と同様のリレーユニットであり、カセット構造部品挿着部１６の対向する内側板１８，２０に対応するリレーケース９４の外側板９５，９５に、可撓係止片９６と、一対のガイド部受９７，９７とを有する。
【００５７】
可撓係止片９６は、第１の方向Ａ１に沿った挿入指向性を有する可撓変形部材である。ガイド部受９７，９７は、可撓係止片９６の両側に予め定められた距離だけそれぞれ離れた位置においてカセット構造部品挿着部１６の孔方向に平行に配置されており、Ｉ字形状に形成されている。
【００５８】
次に、図１３を含め、図１５を参照して、カセット構造部品挿着部１６への第３のカセット構造部品９２の挿着手順について説明する。
【００５９】
第１の方向Ａ１に沿ってカセット構造部品挿着部１６に向けて進行する第３のカセット構造部品９２は、可撓係止片９６を第１の係止突起５１の傾斜面５３に乗り上げた後に、第１の係止突起５１に係止され、同時に、ガイド部受９７，９７の一方を第２の係止突起５２に当接される。
【００６０】
これにより、第１の方向Ａ１に沿ってカセット構造部品挿着部１６に進行してきた第３のカセット構造部品９２は、可撓係止片９６を第１の係止突起５１に係止され、且つ一方のガイド部受９７を第２の係止突起５２に当接されることで、抜け止めされて挿着が完了する。ここで、可撓係止片９６が第１の係止突起５１を乗り越えたときに、ガイド部受９７，９７と第２の係止突起５２との間にわずかな遊びがあってもよい。
【００６１】
図１６に示すように、第４のカセット構造部品９３は、上述した第２のカセット構造部品８２と同様のカセットユニットであり、カセット構造部品挿着部１６の対向する内側板１８，２０に対応するカセットケース９８の外側板９９，９９に、可撓係止片１００と、一対のガイド部受１０１，１０１とを有する。
【００６２】
可撓係止片１００は、第２の方向Ａ２に沿った挿入指向性を有する弾性部材である。ガイド部受１０１，１０１は、可撓係止片１００の両側に予め定められた距離だけそれぞれ離れた位置においてカセット構造部品挿着部１６の孔方向に平行に配置されており、Ｉ字形状に形成されている。
【００６３】
次に、図１６を含め、図１７を参照して、カセット構造部品挿着部１６への第４のカセット構造部品９３の挿着手順について説明する。
【００６４】
第２の方向Ａ２に沿ってカセット構造部品挿着部１６に向けて進行する第４のカセット構造部品９３は、可撓係止片１００を第２の係止突起５２の傾斜面５４に乗り上げた後に、第２の係止突起５２に係止され、同時に、ガイド部受１０１，１０１の一方を第１の係止突起５１に当接される。
【００６５】
これにより、第２の方向Ａ２に沿ってカセット構造部品挿着部１６に進行してきた第４のカセット構造部品９３は、可撓係止片１００を第２の係止突起５２に係止され、且つ一方のガイド部受１０１を第１の係止突起５１に当接されることで、抜け止めされて挿着が完了する。ここで、可撓係止片１００が第２の係止突起５２を乗り越えたときに、ガイド部受９７，９７と第１の係止突起５１との間にわずかな遊びがあってもよい。
【００６６】
第２実施形態の電気接続箱５０によれば、第１の係止突起５１と第２の係止突起５２とは挿着方向に対して同一の構造であり、第１及び第２の方向Ａ１，Ａ２に沿った部品挿着時に、それぞれ係止手段及びストッパとして機能する。つまり、第３のカセット構造部品９２の第１の方向Ａ１に沿った挿入により第１の係止突起５１を第３のカセット構造部品９２の可撓係止片９６に係止されるとともに第２の係止突起５２を第３のカセット構造部品９２の一方のガイド部受９７に当接される。
【００６７】
また、第４のカセット構造部品９３の第２の方向Ａ２に沿った挿入により第２の係止突起５２を第４のカセット構造部品９３の可撓係止片１００に係止されるとともに第１の係止突起５１を第４のカセット構造部品９３の一方のガイド部受１０１に当接される。これにより、カセット構造部品９２，９３の可撓係止片９６，１００及びガイド部受９７，１０１の構成が同じであれば、カセット構造部品９２，９３を第１及び第２の方向Ａ１，Ａ２のいずれにも挿着することができる。
【００６８】
したがって、同一の構造の電気接続箱５０を用いてカセット構造部品９２，９３の仕様変更に対処することができるとともに、電気接続箱５０を小型化でき、カセット構造部品９２，９３の挿着方向の自由度を高めることができる。特に、本実施形態の電気接続箱５０では、第１実施形態の電気接続箱１０と比べて、カセット構造部品挿着部１６の構造を簡単にすることができる。
【００６９】
尚、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００７０】
例えば、第１、第２の方向を上下方向としたのに代えて、例えばエンジンルーム等のスペース配分に応じて第１、第２の方向を横方向とするように電気接続箱を配置する場合においても、各カセット構造部品を左右の両方向から挿着することができる。
【図面の簡単な説明】
【００７１】
【図１】本発明に係る電気接続箱の第１実施形態の第１のカセット構造部品を挿着する際の斜め上方から視た斜視図である。
【図２】図１の電気接続箱のカセット構造部品挿着部の一部破断斜視図である。
【図３】（Ａ）は図２のカセット構造部品挿着部の上方から視た平面図、（Ｂ）は図２のカセット構造部品挿着部の下方から視た平面図である。
【図４】図１の電気接続箱に対する第１のカセット構造部品の挿着前の上方から視た斜視図である。
【図５】（Ａ）は図１の第１のカセット構造部品の電気接続箱への挿着時の第１のカセット構造部品周りの断面図、（Ｂ）は図１の第１のカセット構造部品の電気接続箱への挿着後の第１のカセット構造部品周りの断面図である。
【図６】図１の電気接続箱への第１のカセット構造部品の挿着後の平面図である。
【図７】図６の底面図である。
【図８】図１の電気接続箱への第２のカセット構造部品を挿着する際の斜め下方から視た斜視図である。
【図９】図１の電気接続箱への第２のカセット構造部品の挿着前の下方から視た斜視図である。
【図１０】（Ａ）は図８の第２のカセット構造部品の電気接続箱への挿着時の断面図、（Ｂ）は図８の第２のカセット構造部品の電気接続箱への挿着後の第２のカセット構造部品周りの断面図である。
【図１１】図１の電気接続箱への第２のカセット構造部品の挿着後の第２のカセット構造部品周りの平面図である。
【図１２】図１１の底面図である。
【図１３】本発明に係る電気接続箱の第２実施形態の第１のカセット構造部品を挿着する際の斜め上方から視た斜視図である。
【図１４】図１３の電気接続箱のカセット構造部品挿着部の一部破断斜視図である。
【図１５】図１３のカセット構造部品挿着部への第１のカセット構造部品の挿着後のカセット構造部品挿着部の要部断面を含む斜視図である。
【図１６】本発明に係る電気接続箱の第２実施形態の第２のカセット構造部品を挿着する際の斜め下方から視た斜視図である。
【図１７】図１３のカセット構造部品挿着部への第２のカセット構造部品の挿着後のカセット構造部品挿着部の要部断面を含む斜視図である。
【図１８】従来の電気接続箱の概略図である。
【図１９】従来の電気接続箱の部品固定構造の断面図であり、（Ａ）は上から挿着する部品の固定構造、（Ｂ）は下から挿着する部品の固定構造である。
【符号の説明】
【００７２】
１０  電気接続箱
１１  接続箱本体
１６  カセット構造部品挿着部
２２  係止突起
２３  ガイド部
２４  第１の係止部
２５  第２の係止部
２８  第１のストッパ（ストッパ）
２９  第２のストッパ（ストッパ）
５０  電気接続箱
５１  第１の係止突起
５２  第２の係止突起
８１  第１のカセット構造部品（カセット構造部品）
８２  第２のカセット構造部品（カセット構造部品）
８５  可撓係止片
８６  ガイド部受
９０  可撓係止片
９１  ガイド部受
９２  第３のカセット構造部品（カセット構造部品）
９３  第４のカセット構造部品（カセット構造部品）
９６  可撓係止片
９７  ガイド部受
１００  可撓係止片
１０１  ガイド部受
【図１】
2010029011.tif 000003
【図２】
2010029011.tif 000004
【図３】
2010029011.tif 000005
【図４】
2010029011.tif 000006
【図５】
2010029011.tif 000007
【図６】
2010029011.tif 000008
【図７】
2010029011.tif 000009
【図８】
2010029011.tif 000010
【図９】
2010029011.tif 000011
【図１０】
2010029011.tif 000012
【図１１】
2010029011.tif 000013
【図１２】
2010029011.tif 000014
【図１３】
2010029011.tif 000015
【図１４】
2010029011.tif 000016
【図１５】
2010029011.tif 000017
【図１６】
2010029011.tif 000018
【図１７】
2010029011.tif 000019
【図１８】
2010029011.tif 000020
【図１９】
2010029011.tif 000021